(57)【要約】【課題】  液状物の注入又は排出により液面形状が変化し、安全性や運搬性に優れたメラミン樹脂製容器を提供する。【解決手段】  底部１２と底部１２の周縁部から立ち上がって形成された胴部１１とを有する筒状容器であって、胴部１１には、軸方向に沿って設けられた内方に突出する内方突条部１６と、内方突条部１６に対向する部位に軸方向に沿って設けられた外方突条部１７とが形成され、注がれた液体の平面形状がハート形状になることを特徴とするメラミン樹脂製容器である。【選択図】  図１
0003186301.tif 000002
【実用新案登録請求の範囲】
【請求項１】
底部と上記底部の周縁部から立ち上がって形成された胴部とを有する筒状容器であって、上記胴部には、軸方向に沿って設けられた内方に突出する内方突条部と、上記内方突条部に対向する部位に軸方向に沿って設けられた外方突条部とが形成され、注がれた液体の平面形状がハート形状になることを特徴とするメラミン樹脂製容器。
【請求項２】
上記底部には模様が凹設されていることを特徴とする請求項１に記載のメラミン樹脂製容器。
【請求項３】
上記胴部の内周面部は上端部から下端部に至るに従って細くなるテーパ状に形成されていることを特徴とする請求項１又は２の何れか１項に記載のメラミン樹脂製容器。
【請求項４】
上記模様は、各種図形、文字又はキャラクターからなることを特徴とする請求項２又は３の何れか１項に記載のメラミン樹脂製容器。
【請求項５】
上記胴部の外周面部には把持部が設けられていることを特徴とする請求項１、２、３又は４の何れか１項に記載のメラミン樹脂製容器。
【考案の詳細な説明】
【技術分野】
【０００１】
本考案は、メラミン樹脂製容器に関するものである。
【背景技術】
【０００２】
スープ類、ジュース、ワイン等の飲み物類やゼリー等の液状物を入れる器として、カップ、ガラス食器、皿等の各種の食器が利用されており、これらは通常、陶磁器、ガラス、金属、プラスチック、木等からできている。
【０００３】
従来の食器の開口部の形状は殆どが丸形であり、液状物を注いだ後の液面形状も丸形であったが、特に、ハート形状を想起させるような結婚式の披露宴や誕生日のパーティー等の祝事において、場の雰囲気を盛り上げることができるような、液状物を注いだ後の液面形状がハート形状になるカップが提案されている（例えば、特許文献１参照）。
【０００４】
しかしながら、特許文献１に記載のカップは、陶器であるので重いだけでなく破損しやすく、年少者や病人等には扱いにくく、誰でも安全に使用することができない場合があるという問題があった。
【特許文献１】特許第３７１８４２１号公報
【考案の開示】
【考案が解決しようとする課題】
【０００５】
本考案は、上記従来技術の有する問題点に鑑みなされたものであり、その目的とするところは、液状物の注入又は排出により液面形状が変化し、安全性や運搬性に優れたメラミン樹脂製容器を提供することにある。
【課題を解決するための手段】
【０００６】
本考案の上記課題は、下記の手段によって達成される。
【０００７】
請求項１に記載の考案にかかるメラミン樹脂製容器は、底部と上記底部の周縁部から立ち上がって形成された胴部とを有する筒状容器であって、上記胴部には、軸方向に沿って設けられた内方に突出する内方突条部と、上記内方突条部に対向する部位に軸方向に沿って設けられた外方突条部とが形成され、注がれた液体の平面形状がハート形状になることを特徴とする。
【０００８】
従って、本考案にかかるメラミン樹脂製容器は、上記胴部には、軸方向に沿って設けられた内方に突出する内方突条部と、上記内方突条部に対向する部位に軸方向に沿って設けられた外方突条部とが形成された構成により、注がれた液体の平面形状をハート形状にすることができる。
【０００９】
請求項２に記載の考案にかかるメラミン樹脂製容器は、上記底部には模様が凹設されていることを特徴とする。
【００１０】
従って、本考案にかかるメラミン樹脂製容器は、上記底部には模様が凹設された構成により、上記底部に残った液体の平面形状を上記模様の形状にすることができる。
【００１１】
請求項３に記載の考案にかかるメラミン樹脂製容器は、上記胴部の内周面部は上端部から下端部に至るに従って細くなるテーパ状に形成されていることを特徴とする。
【００１２】
従って、本考案にかかるメラミン樹脂製容器は、上記胴部の内周面部は上端部から下端部に至るに従って細くなるようなテーパ状に形成された構成であることから、液体の平面形状を小さなハート形状にすることができる。
【００１３】
請求項４に記載の考案にかかるメラミン樹脂製容器は、上記模様は、各種図形、文字又はキャラクターからなることを特徴とする。
【００１４】
従って、本考案にかかるメラミン樹脂製容器は、上記模様は、各種図形、文字又はキャラクターからなる構成により、上記底部に残った液体の平面形状を各種図形、文字又はキャラクターの形状にすることができる。
【００１５】
請求項５に記載の考案にかかるメラミン樹脂製容器は、上記胴部の外周面部には把持部が設けられていることを特徴とする。
【００１６】
従って、本考案にかかるメラミン樹脂製容器は、上記胴部の外周面部には把持部が設けられた構成により、把持部を利用して使用することができる。
【考案の効果】
【００１７】
請求項１に記載の考案にあっては、メラミン樹脂製であることから、軽くて丈夫であり、誰でも破損させることなく安全に使用することができる。
【００１８】
また、請求項１に記載の考案にあっては、上記胴部には、軸方向に沿って設けられた内方に突出する内方突条部と、上記内方突条部に対向する部位に軸方向に沿って設けられた外方突条部とが形成された構成により、注がれた液体の平面形状をハート形状にすることができるので、ハート形状を想起させるような結婚式の披露宴や誕生日のパーティー等の祝事において、場の雰囲気を盛り上げることができる。
【００１９】
請求項２に記載の考案にあっては、上記底部には模様が凹設された構成により、上記底部に残った液体の平面形状を、上記ハート形状から上記模様の形状にすることができ、また、請求項３に記載の考案にあっては、上記胴部の内周面部は上端部から下端部に至るに従って細くなるようなテーパ状に形成された構成により、注がれた液体の平面形状をハート形状の大きさを小さくすることができるので、利用者に興味を起させる意外性を有すると共に、意匠性に優れたメラミン樹脂製容器を提供することができる。
【００２０】
請求項４に記載の考案にあっては、上記模様は、各種図形、文字又はキャラクターからなる構成により、上記底部に残った液体の平面形状を各種図形、文字又はキャラクターの形状にすることができるので、利用者に興味を起させる意外性を有すると共に、例えば、自社のキャラクター等の形状にすることにより、広告性に優れたメラミン樹脂製容器を提供することができる。
【００２１】
請求項５に記載の考案にあっては、上記胴部の外周面部には把持部が設けられた構成により、把持部を利用して誰でも容易且つ安全に使用することができる。
【図面の簡単な説明】
【００２２】
【図１】図１は、本考案に係るメラミン樹脂製容器の一実施形態を示し、本実施形態に係るタンブラーを示した斜視図である。
【図２】図２は、本考案に係るメラミン樹脂製容器の一実施形態を示し、本実施形態に係るタンブラーの底面を示した図である。
【図３】図３は、本考案に係るメラミン樹脂製容器の一実施形態を示し、本実施形態に係るタンブラーに液体を注いだ場合における各平面形状が見える範囲Ａ及びＢを示した図である。
【図４】図４は、本考案に係るメラミン樹脂製容器の他の実施形態を示し、本実施形態に係るタンブラーの底面を示した図である。
【図５】図５は、本考案に係るメラミン樹脂製容器の他の実施形態を示し、本実施形態に係るタンブラーの底面を示した図である。
【図６】図６は、本考案に係るメラミン樹脂製容器の他の実施形態を示し、本実施形態に係るタンブラーの底面を示した図である。
【図７】図７は、本考案に係るメラミン樹脂製容器の他の実施形態を示し、本実施形態に係るタンブラーの底面を示した図である。
【図８】図８は、本考案に係るメラミン樹脂製容器の一実施形態を示し、本実施形態に係るタンブラーに液体を注いだ場合の各水位における断面を示し、（ａ）はＣ−Ｃ断面図、（ｂ）はＤ−Ｄ断面図、（ｃ）はＥ−Ｅ段面図である。
【考案を実施するための最良の形態】
【００２３】
以下、本考案に係るメラミン樹脂製容器に使用されるタンブラーを実施の形態に基づき、図面を参照して詳細に説明する。なお、本考案のメラミン樹脂製容器は、以下の実施例（タンブラー）に限定されるものではなく、本考案の要旨を逸脱しない範囲内において種々変更を加え得ることは可能である。
【００２４】
図１〜図３に示すように、本実施形態にかかるタンブラー１０は、底部１２と、底部１２の周縁部から立ち上がって形成された胴部１１とを有する略円筒状容器であり、胴部１１の内周面部１３は上端部１４から下端部１５に至るに従って細くなるテーパ状に形成されている。
【００２５】
図１及び図２に示すように、胴部１１の内周面部１３には、軸方向に沿って設けられた内方に突出する内方突条部１６と、幅方向に沿って内方突条部１６に対向する部位に、軸方向に沿って設けられた外方突条部１７とが形成され、内方突条部１６及び外方突条部１７が形成されていない内周面部１３ａは、円弧状に形成されている。
【００２６】
図１及び図２に示すように、内方突条部１６は略三角柱状に形成され、胴部１１の内周面部１３に連設されており、外方突条部１７は、内方突条部１６に対向する胴部１１の内周面部１３に凹設されている。
【００２７】
図２に示すように、タンブラー１０の底部１２は平面略円形状に形成され、底部１２の略中央部には、模様２０が凹設されている。
【００２８】
図２に示すように、模様２０は、２つの平面略円形状に形成された図形２１，２１と、平面略円形状に形成された図形２１，２１より大きな図形２２とから構成されており、図形２１，２１及び図形２２の中心が平面略三角形の各頂点となり、且つ図形２１，２１及び図形２２の一部がそれぞれ重なり、図形２１，２１同士は重ならないように配置されている。
【００２９】
図２に示すように、模様２０は、段部２３と模様形成底部２４とから構成されたタンブラー１０の底部１２の窪みであり、模様２０の段部２３は、段部上端部１８から段部下端部１９に至るに従って細くなるテーパ状に形成されている。
【００３０】
なお、本考案に係るメラミン樹脂製容器の一実施形態にかかるタンブラー１０の底部１２に凹設された模様２０は、本考案の要旨を逸脱しない範囲内であれば、特に上述した模様に限定される訳ではなく、例えば、図４に示すようなハート形状の図形や、図５〜図７に示すようなキャラクターの模様であってもよく、又は、各種図形、文字、キャラクター若しくはこれらを組み合わせた模様であってもよく、容器の種別や販売先等の要望に応じて適宜変更することができる。
【００３１】
本考案に係るメラミン樹脂製容器にあっては、模様２０は、各種図形、文字又はキャラクターからなる構成により、底部１２に残った液体の平面形状を各種図形、文字又はキャラクターの形状にすることができるので、利用者に興味を起させる意外性を有すると共に、例えば、自社のキャラクター等の形状にすることにより、広告性に優れたメラミン樹脂製容器を提供することができる。
【００３２】
次に、本考案に係るメラミン樹脂製容器の作用について説明する。
【００３３】
本考案に係るメラミン樹脂製容器の一実施例であるタンブラー１０に、例えばオレンジジュースを注ぐと、オレンジジュースが内周面部１３に沿って収まり、図３に示す範囲Ａにおいては、図８（ａ）に示すように、内方突条部１６により、ハート形状の凹部２５が形成されるとともに、外方突条部１７により、ハート形状の突部２６が形成され、それ以外は円弧状となり、オレンジジュースの平面形状がハート形状となる。
【００３４】
本考案に係るメラミン樹脂製容器にあっては、胴部１１には、軸方向に沿って設けられた内方に突出する内方突条部１６と、幅方向に沿って内方突条部１６に対向する部位に、軸方向に沿って設けられた外方突条部１７とが形成された構成により、図３に示す範囲Ａにおいては、注がれたオレンジジュース等の液体の平面形状をハート形状にすることができるので、ハート形状を想起させるような結婚式の披露宴や誕生日のパーティー等の祝事において、場の雰囲気を盛り上げることができる。
【００３５】
また、利用者がオレンジジュースを飲むことにより適量が排出され、水量が図８に示すＣ、Ｄ、Ｅと変化するにつれ、図３に示す範囲Ａにおいては、図８（ｂ）に示すように、オレンジジュースの平面形状のハート形状が小さくなり、更に、利用者がオレンジジュースを飲むことにより殆どが排出されると、図３に示す範囲Ｂにおいては、図８（ｃ）に示すように、オレンジジュースの平面形状がハート形状から模様２０へ変化する。
【００３６】
本考案に係るメラミン樹脂製容器にあっては、胴部１１の内周面部１３は上端部１４から下端部１５に至るに従って細くなるテーパ状に形成された構成により、図３に示す範囲Ａにおいては、注がれたオレンジジュース等の液体の平面形状をハート形状の大きさを小さくすることができ、また、底部１２には模様２０が凹設された構成により、図３に示す範囲Ｂにおいては、底部１２に残ったオレンジジュース等の液体の平面形状を、ハート形状から模様２０の形状にすることができるので、利用者に興味を起させる意外性を有すると共に、意匠性に優れたメラミン樹脂製容器を提供することができる。
【００３７】
なお、本考案に係るメラミン樹脂製容器にあっては、本考案の要旨を逸脱しない範囲内であれば、上述したタンブラー１０以外の容器であってもよく、例えば、スープカップ、コヒーカップ、ワイン等の酒類を入れるガラス食器、ゼリー等を入れるカップ、生け花の水盤等に適用することができる。
【００３８】
また、本考案に係るメラミン樹脂製容器にあっては、容器の種別に応じて胴部１１の外周面部に把持部が設けられてもよく、かかる構成により、把持部を利用して誰でも容易且つ安全に使用することができる。
【産業上の利用可能性】
【００３９】
本考案に係るメラミン樹脂製容器は、上述した構成により、メラミン樹脂製であることから、軽くて丈夫であり、誰でも破損させることなく安全に使用することができ、また、注がれた液体の平面形状をハート形状にすることができるので、ハート形状を想起させるような結婚式の披露宴や誕生日のパーティー等の祝事において、場の雰囲気を盛り上げることができ、スープカップ、コヒーカップ、ワイン等の酒類を入れるガラス食器、ゼリー等を入れるカップ、生け花の水盤等として極めて有用であることから、産業上の利用可能性を有している。
【符号の説明】
【００４０】
１０・・・タンブラー
１１・・・胴部
１２・・・底部
１３，１３ａ・・・内周面部
１４・・・上端部
１５・・・下端部
１６・・・内方突条部
１７・・・外方突条部
１８・・・段部上端部
１９・・・段部下端部
２０・・・模様
２１，２２・・・図形
２３・・・段部
２４・・・模様形成底部
２５・・・凹部
２６・・・突部
【図１】
0003186301.tif 000003
【図２】
0003186301.tif 000004
【図３】
0003186301.tif 000005
【図４】
0003186301.tif 000006
【図５】
0003186301.tif 000007
【図６】
0003186301.tif 000008
【図７】
0003186301.tif 000009
【図８】
0003186301.tif 000010
【手続補正書】
【提出日】平成25年7月25日(2013.7.25)
【手続補正１】
【補正対象書類名】明細書
【補正対象項目名】全文
【補正方法】変更
【補正の内容】
【考案の詳細な説明】
【技術分野】
【０００１】
本考案は、メラミン樹脂製容器に関するものである。
【背景技術】
【０００２】
スープ類、ジュース、ワイン等の飲み物類やゼリー等の液状物を入れる器として、カップ、ガラス食器、皿等の各種の食器が利用されており、これらは通常、陶磁器、ガラス、金属、プラスチック、木等からできている。
【０００３】
従来の食器の開口部の形状は殆どが丸形であり、液状物を注いだ後の液面形状も丸形であったが、特に、ハート形状を想起させるような結婚式の披露宴や誕生日のパーティー等の祝事において、場の雰囲気を盛り上げることができるような、液状物を注いだ後の液面形状がハート形状になるカップが提案されている（例えば、特許文献１参照）。
【０００４】
しかしながら、特許文献１に記載のカップは、陶器であるので重いだけでなく破損しやすく、年少者や病人等には扱いにくく、誰でも安全に使用することができない場合があるという問題があった。
【特許文献１】特許第３７１８４２１号公報
【考案の開示】
【考案が解決しようとする課題】
【０００５】
本考案は、上記従来技術の有する問題点に鑑みなされたものであり、その目的とするところは、液状物の注入又は排出により液面形状が変化し、安全性や運搬性に優れたメラミン樹脂製容器を提供することにある。
【課題を解決するための手段】
【０００６】
本考案の上記課題は、下記の手段によって達成される。
【０００７】
請求項１に記載の考案にかかるメラミン樹脂製容器は、底部と上記底部の周縁部から立ち上がって形成された胴部とを有する筒状容器であって、上記胴部には、軸方向に沿って設けられた内方に突出する内方突条部と、上記内方突条部に対向する部位に軸方向に沿って設けられた外方突条部とが形成され、注がれた液体の平面形状がハート形状になることを特徴とする。
【０００８】
従って、本考案にかかるメラミン樹脂製容器は、上記胴部には、軸方向に沿って設けられた内方に突出する内方突条部と、上記内方突条部に対向する部位に軸方向に沿って設けられた外方突条部とが形成された構成により、注がれた液体の平面形状をハート形状にすることができる。
【０００９】
請求項２に記載の考案にかかるメラミン樹脂製容器は、上記底部には模様が凹設されていることを特徴とする。
【００１０】
従って、本考案にかかるメラミン樹脂製容器は、上記底部には模様が凹設された構成により、上記底部に残った液体の平面形状を上記模様の形状にすることができる。
【００１１】
請求項３に記載の考案にかかるメラミン樹脂製容器は、上記胴部の内周面部は上端部から下端部に至るに従って細くなるテーパ状に形成されていることを特徴とする。
【００１２】
従って、本考案にかかるメラミン樹脂製容器は、上記胴部の内周面部は上端部から下端部に至るに従って細くなるようなテーパ状に形成された構成であることから、液体の平面形状を小さなハート形状にすることができる。
【００１３】
請求項４に記載の考案にかかるメラミン樹脂製容器は、上記模様は、各種図形、文字又はキャラクターからなることを特徴とする。
【００１４】
従って、本考案にかかるメラミン樹脂製容器は、上記模様は、各種図形、文字又はキャラクターからなる構成により、上記底部に残った液体の平面形状を各種図形、文字又はキャラクターの形状にすることができる。
【００１５】
請求項５に記載の考案にかかるメラミン樹脂製容器は、上記胴部の外周面部には把持部が設けられていることを特徴とする。
【００１６】
従って、本考案にかかるメラミン樹脂製容器は、上記胴部の外周面部には把持部が設けられた構成により、把持部を利用して使用することができる。
【考案の効果】
【００１７】
請求項１に記載の考案にあっては、メラミン樹脂製であることから、軽くて丈夫であり、誰でも破損させることなく安全に使用することができる。
【００１８】
また、請求項１に記載の考案にあっては、上記胴部には、軸方向に沿って設けられた内方に突出する内方突条部と、上記内方突条部に対向する部位に軸方向に沿って設けられた外方突条部とが形成された構成により、注がれた液体の平面形状をハート形状にすることができるので、ハート形状を想起させるような結婚式の披露宴や誕生日のパーティー等の祝事において、場の雰囲気を盛り上げることができる。
【００１９】
請求項２に記載の考案にあっては、上記底部には模様が凹設された構成により、上記底部に残った液体の平面形状を、上記ハート形状から上記模様の形状にすることができ、また、請求項３に記載の考案にあっては、上記胴部の内周面部は上端部から下端部に至るに従って細くなるようなテーパ状に形成された構成により、注がれた液体の平面形状をハート形状の大きさを小さくすることができるので、利用者に興味を起させる意外性を有すると共に、意匠性に優れたメラミン樹脂製容器を提供することができる。
【００２０】
請求項４に記載の考案にあっては、上記模様は、各種図形、文字又はキャラクターからなる構成により、上記底部に残った液体の平面形状を各種図形、文字又はキャラクターの形状にすることができるので、利用者に興味を起させる意外性を有すると共に、例えば、自社のキャラクター等の形状にすることにより、広告性に優れたメラミン樹脂製容器を提供することができる。
【００２１】
請求項５に記載の考案にあっては、上記胴部の外周面部には把持部が設けられた構成により、把持部を利用して誰でも容易且つ安全に使用することができる。
【図面の簡単な説明】
【００２２】
【図１】本考案に係るメラミン樹脂製容器の一実施形態を示し、本実施形態に係るタンブラーを示した斜視図である。
【図２】本考案に係るメラミン樹脂製容器の一実施形態を示し、本実施形態に係るタンブラーの底面を示した図である。
【図３】本考案に係るメラミン樹脂製容器の一実施形態を示し、本実施形態に係るタンブラーに液体を注いだ場合における各平面形状が見える範囲Ａ及びＢを示した図である。
【図４】本考案に係るメラミン樹脂製容器の他の実施形態を示し、本実施形態に係るタンブラーの底面を示した図である。
【図５】本考案に係るメラミン樹脂製容器の一実施形態を示し、本実施形態に係るタンブラーに液体を注いだ場合の各水位における断面を示し、（ａ）はＣ−Ｃ断面図、（ｂ）はＤ−Ｄ断面図、（ｃ）はＥ−Ｅ段面図である。
【考案を実施するための最良の形態】
【００２３】
以下、本考案に係るメラミン樹脂製容器に使用されるタンブラーを実施の形態に基づき、図面を参照して詳細に説明する。なお、本考案のメラミン樹脂製容器は、以下の実施例（タンブラー）に限定されるものではなく、本考案の要旨を逸脱しない範囲内において種々変更を加え得ることは可能である。
【００２４】
図１〜図３に示すように、本実施形態にかかるタンブラー１０は、底部１２と、底部１２の周縁部から立ち上がって形成された胴部１１とを有する略円筒状容器であり、胴部１１の内周面部１３は上端部１４から下端部１５に至るに従って細くなるテーパ状に形成されている。
【００２５】
図１及び図２に示すように、胴部１１の内周面部１３には、軸方向に沿って設けられた内方に突出する内方突条部１６と、幅方向に沿って内方突条部１６に対向する部位に、軸方向に沿って設けられた外方突条部１７とが形成され、内方突条部１６及び外方突条部１７が形成されていない内周面部１３ａは、円弧状に形成されている。
【００２６】
図１及び図２に示すように、内方突条部１６は略三角柱状に形成され、胴部１１の内周面部１３に連設されており、外方突条部１７は、内方突条部１６に対向する胴部１１の内周面部１３に凹設されている。
【００２７】
図２に示すように、タンブラー１０の底部１２は平面略円形状に形成され、底部１２の略中央部には、模様２０が凹設されている。
【００２８】
図２に示すように、模様２０は、段部２３と模様形成底部２４とから構成されたタンブラー１０の底部１２の窪みであり、模様２０の段部２３は、段部上端部１８から段部下端部１９に至るに従って細くなるテーパ状に形成されている。
【００２９】
なお、本考案に係るメラミン樹脂製容器の一実施形態にかかるタンブラー１０の底部１２に凹設された模様２０は、本考案の要旨を逸脱しない範囲内であれば、特に上述した模様に限定される訳ではなく、例えば、図４に示すようなハート形状の図形や、キャラクターの模様であってもよく、又は、各種図形、文字、キャラクター若しくはこれらを組み合わせた模様であってもよく、容器の種別や販売先等の要望に応じて適宜変更することができる。
【００３０】
本考案に係るメラミン樹脂製容器にあっては、模様２０は、各種図形、文字又はキャラクターからなる構成により、底部１２に残った液体の平面形状を各種図形、文字又はキャラクターの形状にすることができるので、利用者に興味を起させる意外性を有すると共に、例えば、自社のキャラクター等の形状にすることにより、広告性に優れたメラミン樹脂製容器を提供することができる。
【００３１】
次に、本考案に係るメラミン樹脂製容器の作用について説明する。
【００３２】
本考案に係るメラミン樹脂製容器の一実施例であるタンブラー１０に、例えばオレンジジュースを注ぐと、オレンジジュースが内周面部１３に沿って収まり、図３に示す範囲Ａにおいては、図５（ａ）に示すように、内方突条部１６により、ハート形状の凹部２５が形成されるとともに、外方突条部１７により、ハート形状の突部２６が形成され、それ以外は円弧状となり、オレンジジュースの平面形状がハート形状となる。
【００３３】
本考案に係るメラミン樹脂製容器にあっては、胴部１１には、軸方向に沿って設けられた内方に突出する内方突条部１６と、幅方向に沿って内方突条部１６に対向する部位に、軸方向に沿って設けられた外方突条部１７とが形成された構成により、図３に示す範囲Ａにおいては、注がれたオレンジジュース等の液体の平面形状をハート形状にすることができるので、ハート形状を想起させるような結婚式の披露宴や誕生日のパーティー等の祝事において、場の雰囲気を盛り上げることができる。
【００３４】
また、利用者がオレンジジュースを飲むことにより適量が排出され、水量が図５に示すＣ、Ｄ、Ｅと変化するにつれ、図３に示す範囲Ａにおいては、図５（ｂ）に示すように、オレンジジュースの平面形状のハート形状が小さくなり、更に、利用者がオレンジジュースを飲むことにより殆どが排出されると、図３に示す範囲Ｂにおいては、図５（ｃ）に示すように、オレンジジュースの平面形状がハート形状から模様２０へ変化する。
【００３５】
本考案に係るメラミン樹脂製容器にあっては、胴部１１の内周面部１３は上端部１４から下端部１５に至るに従って細くなるテーパ状に形成された構成により、図３に示す範囲Ａにおいては、注がれたオレンジジュース等の液体の平面形状をハート形状の大きさを小さくすることができ、また、底部１２には模様２０が凹設された構成により、図３に示す範囲Ｂにおいては、底部１２に残ったオレンジジュース等の液体の平面形状を、ハート形状から模様２０の形状にすることができるので、利用者に興味を起させる意外性を有すると共に、意匠性に優れたメラミン樹脂製容器を提供することができる。
【００３６】
なお、本考案に係るメラミン樹脂製容器にあっては、本考案の要旨を逸脱しない範囲内であれば、上述したタンブラー１０以外の容器であってもよく、例えば、スープカップ、コヒーカップ、ワイン等の酒類を入れるガラス食器、ゼリー等を入れるカップ、生け花の水盤等に適用することができる。
【００３７】
また、本考案に係るメラミン樹脂製容器にあっては、容器の種別に応じて胴部１１の外周面部に把持部が設けられてもよく、かかる構成により、把持部を利用して誰でも容易且つ安全に使用することができる。
【産業上の利用可能性】
【００３８】
本考案に係るメラミン樹脂製容器は、上述した構成により、メラミン樹脂製であることから、軽くて丈夫であり、誰でも破損させることなく安全に使用することができ、また、注がれた液体の平面形状をハート形状にすることができるので、ハート形状を想起させるような結婚式の披露宴や誕生日のパーティー等の祝事において、場の雰囲気を盛り上げることができ、スープカップ、コヒーカップ、ワイン等の酒類を入れるガラス食器、ゼリー等を入れるカップ、生け花の水盤等として極めて有用であることから、産業上の利用可能性を有している。
【符号の説明】
【００３９】
１０・・・タンブラー
１１・・・胴部
１２・・・底部
１３，１３ａ・・・内周面部
１４・・・上端部
１５・・・下端部
１６・・・内方突条部
１７・・・外方突条部
１８・・・段部上端部
１９・・・段部下端部
２０・・・模様
２３・・・段部
２４・・・模様形成底部
２５・・・凹部
２６・・・突部
【手続補正２】
【補正対象書類名】図面
【補正対象項目名】全図
【補正方法】変更
【補正の内容】
【図１】
0003186301.tif 000011
【図２】
0003186301.tif 000012
【図３】
0003186301.tif 000013
【図４】
0003186301.tif 000014
【図５】
0003186301.tif 000015